(57)【要約】デジタル通信システムにおいてＢＬＥＲ（ブロックエラー率）を制御する方法、システム、および非一過性有形コンピュータ読み取り可能な記憶媒体が、提供される。本システムのアウターループ制御は、受信停止イベント中に送信された伝送機からのデータ伝送に対して受信機によって送信された応答を無視する。受信機の停止中に受信機によって送信されたＮＡＣＫ、またはＡＣＫとＮＡＣＫの両方のいずれかが、アウターループ制御が、伝送パラメータを直接調節すること、または伝送パラメータの選択を調節することのいずれかによって、続いて起こる伝送を適合させることによって無視される。その適合は、個々のＮＡＣＫおよびＡＣＫに基づくか、またはＢＬＥＲを確立した後であり得る。
2016500494.tif 000002
【特許請求の範囲】
【請求項１】
デジタル通信システムを動作させる方法であって、前記方法は、
デジタル通信システムに少なくとも伝送機および受信機を提供することと、
前記伝送機から情報のブロックを前記受信機に伝送することと、
前記受信機が、前記伝送される情報のブロックの各々に応答して、ＡＣＫ（肯定応答）およびＮＡＣＫ（否定応答）のうちの１つを送信することによって、前記伝送することに応答することと、
受信機の停止を検出することと、
前記ＮＡＣＫおよびＡＣＫのうちの前記受信機の停止の間に送信された停止ＮＡＣＫおよび停止ＡＣＫを決定することと、
（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させることと
を含む、方法。
【請求項２】
前記適合させることは、前記デジタル通信システムの１つ以上の伝送パラメータを調節することを含む、請求項１に記載の方法。
【請求項３】
前記伝送パラメータは、変調形式、チャネルコーディングレート、マルチアンテナ伝送ランク、および伝送電力を含む、請求項２に記載の方法。
【請求項４】
前記適合させることは、前記デジタル通信システムの１つ以上の伝送パラメータの選択を調節することを含む、請求項１に記載の方法。
【請求項５】
前記選択は、前記伝送機と受信機との間において推定されるチャネル品質と、一組の伝送パラメータとの間のマッピングを含む、請求項４に記載の方法。
【請求項６】
前記一組の伝送パラメータは、チャネルコーディングレート、変調形式、マルチアンテナ伝送ランク、および伝送電力を含む、請求項５に記載の方法。
【請求項７】
前記適合させることは、ＢＬＥＲ（ブロックエラー率）を制御することを含む、請求項１に記載の方法。
【請求項８】
前記ＢＬＥＲを制御することは、前記ＢＬＥＲを調節するために伝送パラメータを調節し、標的ＢＬＥＲを獲得することを含み、前記ＢＬＥＲは、［ＮＡＣＫ］の数：［ＮＡＣＫ＋ＡＣＫ］の数の比率である、請求項７に記載の方法。
【請求項９】
前記ＢＬＥＲを制御することは、（ａ）前記停止ＮＡＣＫと、（ｂ）前記停止ＮＡＣＫおよび停止ＡＣＫとのうちの１つを破棄するアウターループ制御システムを含む、請求項８に記載の方法。
【請求項１０】
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、請求項１に記載の方法。
【請求項１１】
前記続いて起こる伝送を調節することは、前記ＮＡＣＫおよびＡＣＫのうちの個々のもののうちの個々のＡＣＫに基づいて、伝送パラメータを調節することと、前記ＮＡＣＫおよびＡＣＫのうちの個々のもののうちの個々のＮＡＣＫに基づいて、前記伝送パラメータをさらに調節することとを含む、請求項１０に記載の方法。
【請求項１２】
前記適合させることは、一連の複数の個々のＮＡＣＫおよび個々のＡＣＫを使用して、対応する複数の続いて起こる伝送を適合させることを含む、請求項１０に記載の方法。
【請求項１３】
前記受信機が、前記ＮＡＣＫおよびＡＣＫのうちのどれが前記停止ＮＡＣＫおよびＡＣＫを含むかをアウターループ制御システムに知らせることをさらに含み、前記適合させることは、前記アウターループ制御システムによって行われる、請求項１に記載の方法。
【請求項１４】
コンピュータプログラムコードを用いてエンコードされた非一過性有形コンピュータ読み取り可能な記憶媒体であって、前記コンピュータプログラムコードがプロセッサによって実行されると、前記プロセッサは、少なくとも１つの伝送機および受信機を有するデジタル通信システムを制御する方法を実施し、前記伝送機は、情報のブロックを前記受信機に伝送し、前記受信機は、伝送された前記情報のブロックの各々に応答して、ＡＣＫ（肯定応答）およびＮＡＣＫ（否定応答）のうちの１つを送信することによって前記伝送することに応答し、前記方法は、
受信機の停止を検出することと、
前記ＮＡＣＫおよびＡＣＫのうちの前記受信機の停止の間に送信された停止ＮＡＣＫおよび停止ＡＣＫを決定することと、
（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させることと
を含む、非一過性有形コンピュータ読み取り可能な記憶媒体。
【請求項１５】
前記適合させることは、前記デジタル通信システムの伝送パラメータを調節することを含み、前記伝送パラメータは、変調形式、チャネルコーディングレート、マルチアンテナ伝送ランク、および伝送電力を含む、請求項１４に記載の非一過性有形コンピュータ読み取り可能な記憶媒体。
【請求項１６】
前記適合させることは、前記デジタル通信システムの伝送パラメータの選択を調節することを含む、請求項１４に記載の非一過性有形コンピュータ読み取り可能な記憶媒体。
【請求項１７】
前記選択は、前記伝送機と受信機との間において推定されるチャネル品質と、チャネルコーディングレート、変調形式、マルチアンテナ伝送ランク、および伝送電力を含む一組の伝送パラメータとの間のマッピングを含む、請求項１６に記載の非一過性有形コンピュータ読み取り可能な記憶媒体。
【請求項１８】
前記適合させることは、ＢＬＥＲ（ブロックエラー率）を制御することを含む、請求項１４に記載の非一過性有形コンピュータ読み取り可能な記憶媒体。
【請求項１９】
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、請求項１４に記載の非一過性有形コンピュータ読み取り可能な記憶媒体。
【請求項２０】
伝送機、受信機、および制御システムを備えているデジタル通信システムであって、
前記伝送機は、情報のブロックを前記受信機に伝送するように構成され、
前記受信機は、前記伝送される情報のブロックの各々に応答して、ＡＣＫ（肯定応答）およびＮＡＣＫ（否定応答）のうちの１つを送信することによって前記伝送することに応答するように構成され、
前記受信機は、受信機の停止を検出し、前記ＮＡＣＫおよびＡＣＫのうちの前記受信機の停止の間に送信された停止ＮＡＣＫおよび停止ＡＣＫを決定し、前記受信機の停止を前記制御システムのアウターループ制御システムに報告するように構成され、
前記アウターループ制御システムは、（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させるように構成されている、
デジタル通信システム。
【請求項２１】
前記受信機は、前記停止ＮＡＣＫおよび停止ＡＣＫを前記アウターループ制御システムに報告するようにさらに構成されている、請求項２０に記載のデジタル通信システム。
【請求項２２】
前記アウターループ制御システムは、前記デジタル通信システムの１つ以上の伝送パラメータを調節することによって、続いて起こる伝送を適合させるように構成されている、請求項２０に記載のデジタル通信システム。
【請求項２３】
前記アウターループ制御システムは、前記デジタル通信システムの１つ以上の伝送パラメータの選択を調節することによって、続いて起こる伝送を適合させるように構成され、前記伝送パラメータは、変調形式、チャネルコーディングレート、マルチアンテナ伝送ランク、および伝送電力を含む、請求項２０に記載のデジタル通信システム。
【請求項２４】
前記アウターループ制御システムは、ＢＬＥＲ（ブロックエラー率）を制御することによって、続いて起こる伝送を適合させるように構成されている、請求項２０に記載のデジタル通信システム。
【請求項２５】
前記アウターループ制御システムは、（ａ）前記停止ＮＡＣＫと、（ｂ）前記停止ＮＡＣＫおよび停止ＡＣＫとのうちの１つを破棄するように構成されている、請求項２０に記載のデジタル通信システム。
【請求項２６】
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、請求項２０に記載のデジタル通信システム。
【発明の詳細な説明】
【技術分野】
【０００１】
（関連出願）
本願は、米国仮出願第６１／７３７，０３０号（２０１２年１２月１３日出願、名称「Ｍｅｔｈｏｄ  ａｎｄ  Ａｐｐａｒａｔｕｓ  ｆｏｒ  ａ  Ｍｏｄｉｆｉｅｄ  Ｏｕｔｅｒ  Ｌｏｏｐ  Ａｆｔｅｒ  ａ  Ｒｅｃｅｉｖｅｒ  Ｏｕｔａｇｅ  Ｅｖｅｎｔ」）および米国仮出願第６１／７３７，０４１号（２０１２年１２月１３日出願、名称「Ｍｅｔｈｏｄ  ａｎｄ  Ａｐｐａｒａｔｕｓ  ｆｏｒ  ａ  Ｂｌｏｃｋｉｎｇ  Ｄｅｔｅｃｔｏｒ  ｉｎ  ａ  Ｄｉｇｉｔａｌ  Ｃｏｍｍｕｎｉｃａｔｉｏｎ  Ｓｙｓｔｅｍ」）に関連し、それらに基づく優先権を主張し、両出願の内容は、その全体が記載された場合のように、参照により本明細書に援用される。
【０００２】
（技術分野）
本開示は、デジタル、ワイヤレス通信システム、および方法に関する。
【背景技術】
【０００３】
多くのデジタル通信システムが、自動反復要求（ＡＲＱ）プロトコル、例えば、ハイブリッドＡＲＱ（ＨＡＲＱ）を使用する。そのようなシステムでは、ワイヤレス信号または波形等の情報のブロックが、伝送機から受信機に送信される。伝送機は、ベースステーションまたはモバイルユニットであり得、受信機は、いくつかの実施例では、モバイルユニットであり得る。他の実施例では、その逆も、該当する。情報のブロックが、正確に受信された場合、受信機は、肯定応答（ＡＣＫ）で伝送機に応答する。そうでなければ、受信機は、否定応答（ＮＡＣＫ）で応答する。情報のブロックが送信される初回は、最初の伝送と呼ばれる。前に送信され、かつ再送信されている情報のブロックの伝送は、再伝送と呼ばれる。全ての最初の伝送の中の最初の伝送ＮＡＣＫの割合は、概して、最初の伝送ブロックエラー率（ＢＬＥＲ）と呼ばれる。全ての伝送（最初および再伝送）の中のＮＡＣＫの割合は、多くの場合、全体的ＢＬＥＲと呼ばれる。したがって、ＢＬＥＲは、最初の伝送ＢＬＥＲ、全体的ＢＬＥＲを参照することができ、または他の意義がある定義によって定義されるＢＬＥＲを指定することができる。
【０００４】
デジタル通信システムの伝送パラメータは、多くの場合、ＢＬＥＲに影響を及ぼす方法において調節されることができる。例えば、異なる変調形式、チャネルコーディングレート、マルチアンテナ伝送ランク、伝送電力、ならびにマルチアンテナプリコーダおよび伝送等のための時間、周波数、およびコードリソース等の他の伝送パラメータが、適合かつ調節されることができる。非常に高い（例えば、１００％に近い）ＢＬＥＲが、多くの場合、不良性能を示し得る。非常に低い（例えば、０％に近い）ＢＬＥＲもまた、低情報データ率をもたらす、過度に保守的なパラメータ設定に起因して、不良性能をもたらす可能性がある。故に、良好な性能が、種々のシステムにおける種々のＢＬＥＲにおいて取得され得る。いくつかのシステムでは、良好な性能は、ブロックエラーの適度なレベル、例えば、ＢＬＥＲ＝１０％、または５−５０％の範囲内におけるＢＬＥＲに関連付けられる。したがって、多くのシステムでは、標的ＢＬＥＲが、定義され得、標的ＢＬＥＲは、異なる値をとり得る。
【０００５】
概して、閉ループ制御システムが、フィードバックを伴う一方、開ループ制御システムは、それを伴わない。いくつかのシステムでは、閉ループ制御は、アウターループ制御とインナーループ制御とに分割されることができる。多くのシステムでは、インナーループ機能性は、いくつかの基準を満たすために、変更に迅速に反応するように構成される。多くのシステムでは、アウターループ機能性の目的は、可能な限り標的ＢＬＥＲに近いＢＬＥＲにするために、より長いタイムスケールにおいて、インナーループを適合させることである。そのような制御システムの一実施例は、干渉を最小限にし、かつ信号の品質を所望のレベルに保とうと試行する、ワイヤレスシステムにおける伝送電力制御である。標的ＢＬＥＲが定義されるアウターループ電力制御は、インナーループ電力制御のための標的ＳＩＲ（信号対干渉比）値を制御する。インナーループ電力制御は、受信機における標的ＳＩＲを満たすために、短いタイムスケールにおいて、伝送電力を適合させる。インナーループ電力制御は、例えば、高速フェージングと呼ばれる、チャネル変動を補償し得る。実際のＢＬＥＲが、標的ＢＬＥＲを上回る場合、概して、アウターループ電力制御は、標的ＳＩＲを減少させ得、これは、より低い伝送電力を使用するようにインナーループに影響を与えるであろう。いくつかの実施例では、アウターループ電力制御は、インナーループ電力制御のための標的品質値を設定するために使用され、すなわち、それは、１つまたは多くの既定の品質目標が維持されることをもたらす標的ＳＩＲ（信号対干渉比）を調節する。多くのシステムでは、アウターループ機能性は、伝送パラメータを直接調節し、多くのシステムでは、アウターループ機能性は、上記に列挙される伝送パラメータ等に限定されない伝送パラメータの選択を制御かつ調節する。多くのシステムでは、アウターループ機能性は、伝送パラメータを直接調節し、さらに、伝送パラメータの選択を調節する。
【０００６】
１つの実施例では、アウターループ機能性が、伝送電力を直接適合させる場合、伝送パラメータ、すなわち、アウターループ電力制御は、直接調節され得る。別の実施例では、インナーループ機能性が推定される通信チャネル品質と選択されるチャネルコーディングレートとの間のマッピングを調節する場合、アウターループリンク適合は、伝送パラメータの選択、すなわち、この場合、伝送パラメータのマッピングを伴う。
【０００７】
いくつかの実施例では、アウターループ機能性は、ある期間の間に収集されるＡＣＫおよびＮＡＣＫに基づいて、いくつかの期間にわたるＢＬＥＲを測定する。いくつかの実施例では、アウターループ機能性は、ＢＬＥＲを明示的に測定せずに、各ＡＣＫの後に１つの方法において、かつ各ＮＡＣＫの後に別の方法においてパラメータを調節する。
【０００８】
デジタル通信システムでは、受信機は、必要な情報搬送波形（すなわち、情報のブロック）の総和、他の干渉信号、および雑音を受信する。受信機は、典型的には、それが取り扱うことができる入力信号電力の範囲を有する。入力信号電力が過度に低い場合、信号は、受信機によって分解されることができない。入力信号電力が、過度に高い場合、信号は、多くの場合、破損および歪みまたは他の要因のいずれかに起因して、分解されることができない。この現象は、多くの場合、受信機ブロッキングと称される。過剰に高い電力に起因する受信機ブロッキングの実施例は、所望の信号における過度に高い電力、過剰に高い電力干渉、または他の要因に起因する可能性がある。多くの場合、ブロッキングは、入力電力が過度に高い場合のみ持続し、すなわち、回復時間が非常に短時間であり得る。受信機がブロックされると、全ての受信された信号は、好適なレベルの対応する電力を伴うものでさえ、破損される。ブロッキング自体は、受信機のアナログ部分内またはデジタル部分内において発生する可能性がある。アナログ部分内では、例えば、入力信号は、電子コンポーネントの非線形の範囲内である可能性があり、それは、いくつかの実施例では、信号飽和をもたらす。デジタル部分内では、例えば、サンプルの大きさは、高い電力信号を表すには不十分であり、それは、信号飽和をもたらし得る。
【０００９】
受信機が、ワイヤレス信号の受信機である場合、高い干渉電力は、伝送機、例えば、ブロック受信機よりもはるかに離れた別の受信機と通信する携帯電話から生じる可能性があり、または、これは、他の伝送機から生じ得る。
【００１０】
受信機ブロッキングの１つの例示的シナリオは、ブロック受信機が閉鎖加入者グループ（ＣＳＧ）を伴うフェムトベースステーション内にあり、干渉モバイルユニットがフェムトに近いが、ＣＳＧに属さないときである。この場合、干渉携帯伝送機は、別のベースステーション、例えば、マクロに到達するために、高い伝送電力を使用することが要求され得る。
【００１１】
受信機ブロッキングの別の実施例は、ＬＴＥ（ロングタームエボリューション）ソフトセルまたは他の好適なトポロジ等の分散アンテナを伴うセルである。受信アンテナに近い携帯伝送機が、別の遠隔アンテナからの経路損失に基づく伝送電力を使用して、ネットワークに接続するためにランダムアクセス信号（ＬＴＥでは、ランダムアクセスプリアンブル）を伝送する。これは、近接受信アンテナが、携帯伝送機がランダムアクセス信号の伝送電力を決定するために使用する共通パイロット信号（ＬＴＥでは、セル固有参照信号（ＣＲＳ）と呼ばれる）を伝送するように構成されていない場合、可能であろう。この場合、伝送ランダムアクセス信号は、高い電力に起因して、近接アンテナの受信機をブロックし得る。
【００１２】
他の例は、ＮＡＣＫが送信されることをもたらすことが可能な受信機ブロッキングおよび受信機の停止を引き起こすことが可能であり、本開示は、そのような受信機ブロッキングおよび受信機の停止イベントの間に発生するイベントの側面に対処する。
【発明の概要】
【課題を解決するための手段】
【００１３】
１つの側面によると、デジタル通信システムを動作させる方法が、提供される。本方法は、デジタル通信システムに少なくとも伝送機および受信機を提供することと、伝送機から情報のブロックを受信機に伝送することと、受信機が、伝送される情報のブロックの各々に応答して、ＡＣＫ（肯定応答）およびＮＡＣＫ（否定応答）のうちの１つを送信することによって、伝送することに応答することと、受信機の停止を検出することと、ＮＡＣＫおよびＡＣＫのうちの受信機の停止の間に送信された停止ＮＡＣＫおよび停止ＡＣＫを決定することと、（ａ）停止ＮＡＣＫと、（ｂ）停止ＮＡＣＫおよび停止ＡＣＫとのうちの１つを含まないＡＣＫおよびＮＡＣＫに基づいて、続いて起こる伝送を適合させることとを含む。
【００１４】
いくつかの実施形態では、適合させることは、デジタル通信システムの１つ以上の伝送パラメータを調節することを含む。
【００１５】
いくつかの実施形態では、伝送パラメータは、変調形式、チャネルコーディングレート、マルチアンテナ伝送ランク、および伝送電力を含む。
【００１６】
いくつかの実施形態では、適合させることは、デジタル通信システムの１つ以上の伝送パラメータの選択を調節することを含む。
【００１７】
いくつかの実施形態では、選択は、伝送機と受信機との間において推定されるチャネル品質と、一組の伝送パラメータとの間のマッピングを含む。
【００１８】
いくつかの実施形態では、一組の伝送パラメータは、チャネルコーディングレート、変調形式、マルチアンテナ伝送ランク、および伝送電力を含む。
【００１９】
いくつかの実施形態では、適合させることは、ＢＬＥＲ（ブロックエラー率）を制御することを含む。
【００２０】
いくつかの実施形態では、ＢＬＥＲを制御することは、ＢＬＥＲを調節するために伝送パラメータを調節し、標的ＢＬＥＲを獲得することを含み、ＢＬＥＲは、［ＮＡＣＫ］の数：［ＮＡＣＫ＋ＡＣＫ］の数の比率である。
【００２１】
いくつかの実施形態では、ＢＬＥＲを制御することは、（ａ）停止ＮＡＣＫと、（ｂ）停止ＮＡＣＫおよび停止ＡＣＫとのうちの１つを破棄するアウターループ制御システムを含む。
【００２２】
いくつかの実施形態では、適合させることは、ＮＡＣＫおよびＡＣＫのうちの個々のものに基づくが、停止ＮＡＣＫまたは停止ＡＣＫに基づかずに、続いて起こる伝送を調節することを含む。
【００２３】
いくつかの実施形態では、続いて起こる伝送を調節することは、ＮＡＣＫおよびＡＣＫのうちの個々のもののうちの個々のＡＣＫに基づいて、伝送パラメータを調節することと、さらにＮＡＣＫおよびＡＣＫのうちの個々のもののうちの個々のＮＡＣＫに基づいて、伝送パラメータを調節することとを含む。
【００２４】
いくつかの実施形態では、適合させることは、一連の複数の個々のＮＡＣＫおよび個々のＡＣＫを使用して、対応する複数の続いて起こる伝送を適合させることを含む。
【００２５】
いくつかの実施形態では、本方法はさらに、受信機が、ＮＡＣＫおよびＡＣＫのうちのどれが停止ＮＡＣＫおよびＡＣＫを含むかをアウターループ制御システムに知らせることを含み、適合させることは、アウターループ制御システムによって行われる。
【００２６】
別の側面によると、コンピュータプログラムコードを用いてエンコードされた非一過性有形コンピュータ読み取り可能な記憶媒体が、提供される。コンピュータプログラムコードがプロセッサによって実行されると、プロセッサは、少なくとも１つの伝送機および受信機を有するデジタル通信システムを制御する方法を実施し、伝送機は、情報のブロックを受信機に伝送し、受信機は、伝送された情報のブロックの各々に応答して、ＡＣＫ（肯定応答）およびＮＡＣＫ（否定応答）のうちの１つを送信することによって伝送することに応答する。本方法は、受信機の停止を検出することと、ＮＡＣＫおよびＡＣＫのうちの受信機の停止の間に送信された停止ＮＡＣＫおよび停止ＡＣＫを決定することと、（ａ）停止ＮＡＣＫと、（ｂ）停止ＮＡＣＫおよび停止ＡＣＫとのうちの１つを含まないＡＣＫおよびＮＡＣＫに基づいて、続いて起こる伝送を適合させることとを含む。
【００２７】
いくつかの実施形態では、適合させることは、デジタル通信システムの伝送パラメータを調節することを含み、伝送パラメータは、変調形式、チャネルコーディングレート、マルチアンテナ伝送ランク、および伝送電力を含む。
【００２８】
いくつかの実施形態では、適合させることは、デジタル通信システムの伝送パラメータの選択を調節することを含む。
【００２９】
いくつかの実施形態では、選択は、伝送機と受信機との間において推定されるチャネル品質と、チャネルコーディングレート、変調形式、マルチアンテナ伝送ランク、および伝送電力を含む一組の伝送パラメータとの間のマッピングを含む。
【００３０】
いくつかの実施形態では、適合させることは、ＢＬＥＲ（ブロックエラー率）を制御することを含む。
【００３１】
いくつかの実施形態では、適合させることは、ＮＡＣＫおよびＡＣＫのうちの個々のものに基づくが、停止ＮＡＣＫまたは停止ＡＣＫに基づかずに、続いて起こる伝送を調節することを含む。
【００３２】
別の側面によると、デジタル通信システムが、提供される。デジタル通信システムは、伝送機、受信機、および制御システムを備え、伝送機は、情報のブロックを受信機に伝送するように構成され、受信機は、伝送される情報のブロックの各々に応答して、ＡＣＫ（肯定応答）およびＮＡＣＫ（否定応答）のうちの１つを送信することによって伝送することに応答するように構成され、受信機は、受信機の停止を検出し、ＮＡＣＫおよびＡＣＫのうちの受信機の停止の間に送信された停止ＮＡＣＫおよび停止ＡＣＫを決定し、受信機の停止を制御システムのアウターループ制御システムに報告するように構成され、アウターループ制御システムは、（ａ）停止ＮＡＣＫと、（ｂ）停止ＮＡＣＫおよび停止ＡＣＫとのうちの１つを含まないＡＣＫおよびＮＡＣＫに基づいて、続いて起こる伝送を適合させるように構成されている。
【００３３】
いくつかの実施形態では、受信機はさらに、停止ＮＡＣＫおよび停止ＡＣＫをアウターループ制御システムに報告するように構成される。
【００３４】
いくつかの実施形態では、アウターループ制御システムは、デジタル通信システムの１つ以上の伝送パラメータを調節することによって、続いて起こる伝送を適合させるように構成される。
【００３５】
いくつかの実施形態では、アウターループ制御システムは、デジタル通信システムの１つ以上の伝送パラメータの選択を調節することによって、続いて起こる伝送を適合させるように構成され、伝送パラメータは、変調形式、チャネルコーディングレート、マルチアンテナ伝送ランク、および伝送電力を含む。
【００３６】
いくつかの実施形態では、アウターループ制御システムは、ＢＬＥＲ（ブロックエラー率）を制御することによって、続いて起こる伝送を適合させるように構成される。
【００３７】
いくつかの実施形態では、アウターループ制御システムは、（ａ）停止ＮＡＣＫと、（ｂ）停止ＮＡＣＫおよび停止ＡＣＫとのうちの１つを破棄するように構成される。
【００３８】
いくつかの実施形態では、適合させることは、ＮＡＣＫおよびＡＣＫのうちの個々のものに基づくが停止ＮＡＣＫまたは停止ＡＣＫに基づかずに、続いて起こる伝送を調節することを含む。
【図面の簡単な説明】
【００３９】
本開示は、付随の図面と併せて読まれることによって、以下の詳細な説明から最良に理解される。一般的な実践により、図面の種々の特徴は、必ずしも、縮尺通りではないことが強調される。対照的に、種々の特徴の寸法は、明確にするために、任意に拡張または縮小され得る。同一番号は、明細書および図面全体を通して同一特徴を示す。
【図１】図１は、本開示の種々の実施形態による、方法を例証するフローチャートである。
【図２】図２は、本開示の種々の実施形態による、方法を例証するフローチャートである。
【図３】図３は、本開示の種々の実施形態を示すブロック図である。
【図４】図４は、本開示の種々の実施形態を示すブロック図である。
【発明を実施するための形態】
【００４０】
本開示は、デジタル通信システムのアウターループ機能性が、デジタル通信システムにおいて続いて起こる伝送を適合させ、正確な調節されたＢＬＥＲおよび標的ＢＬＥＲを提供するために、受信機の停止の間に発生するＡＣＫおよびＮＡＣＫを破棄する方法、システム、および有形非一過性コンピュータ読み取り可能な記憶媒体を提供する。
【００４１】
本開示は、受信機の停止になる傾向があり得、伝送パラメータが適合させられることができる種々のワイヤレスおよび有線デジタル通信システムの用途を見出す。本開示は、限定ではないが、３Ｇ（ＵＭＴＳ−ユニバーサルモバイルテレコミュニケーションシステム）、ＷｉＦｉ、２地点間ワイヤレスリンク、ＬＴＥ、ＴＤ−ＳＣＤＭＡ（時分割符号分割多重アクセス）、ＧＳＭ（登録商標）（グローバルシステムフォーモバイルコミュニケーションズ）、Ｂｌｕｅｔｏｏｔｈ（登録商標）、Ｅｔｈｅｒｎｅｔ（登録商標）、ＵＳＢ（ユニバーサルシリアルバス）、およびＨＤＭＩ（登録商標）（高精細マルチメディアインターフェース）システム等の種々のワイヤレスおよび有線デジタル通信システムにおいて用途を見出す。加えて、デジタル通信システムは、第三世代パートナーシッププロジェクト（３ＧＰＰ）、３ＧＰＰロングタームエボリューション（ＬＴＥ）、および同様の規格等の規格に準拠することができる。本開示は、ＬＴＥネットワークに限定されず、セルラーおよび他の通信ネットワークの種々の異なる種類において実装かつ利用されることができる。
【００４２】
受信機の停止の間、受信機は、正常に機能しない。受信機の停止は、限定ではないが、以下の例、すなわち、上で説明されるような受信機ブロッキング、受信機の部分的な一時的電源異常、受信機における回路故障、受信機の電波妨害、または上で説明されるような種々の他の手段のいずれかによって引き起こされる種々の他の停止を含む、種々の要因による可能性がある。
【００４３】
受信機の停止の間、受信された信号は、著しく破損または損失される。故に、失敗した伝送が、受信機の停止による場合、例えば、より高い伝送電力またはより低いチャネルコーディングレートによる、増加された伝送信頼性は、信号が、著しく破損または損失されることを防止しないであろう。本開示は、標的ＢＬＥＲを達成するために、ＢＬＥＲを計算および調節するとき、これを考慮することを提供する。受信機は、概して、そのような停止後に迅速に回復し、本開示は、受信機が停止後に迅速に回復する実施形態を対象にするが、他の速度で回復する受信機にも利用可能である。典型的には、受信機の停止持続時間は、約数ミリ秒以下であるが、他の停止持続時間も、本開示の原理が利用可能な他の実施形態に該当する。
【００４４】
いくつかの実施形態では、本開示は、停止中であることを検出し、そのような情報をアウターループ制御システムに提供する受信機を伴う、システムを提供する。種々の実施形態では、受信機自体が、上記に議論されるように、ブロックされていること、または停止中であることを検出することが可能である。本開示の種々の実施形態は、種々の他の例示的シナリオおよび実施形態における用途を見出す。種々の他の実施形態では、伝送機または外部ノード等の別のシステムコンポーネントが、受信機の停止を検出し、そのような情報をアウターループ制御システムに提供する。
【００４５】
アウターループ機能性は、いくつかの実施形態では、伝送機内に位置するが、他の伝送システム実施形態では、受信機内またはノード内に位置する。アウターループ機能性は、伝送パラメータを直接調節することによって、または、インナーループ制御が伝送パラメータを直接調節するように伝送パラメータの選択を調節することによって、標的ＢＬＥＲを満たすように続いて起こる伝送を適合させる。いくつかの実施形態では、インナーループは、伝送パラメータを直接調節することによって、続いて起こる伝送を適合させる。その適合は、個々のＡＣＫまたはＮＡＣＫに基づき得るか、あるいはＢＬＥＲが事前に決定された後であり得る。
【００４６】
本開示の方法の種々の実施形態は、以下の通りである。
【００４７】
受信機の停止が、検出されると、本開示の種々の実施形態は、停止のアウターループ機能性を知らせる受信機自体等の種々のコンポーネントを提供する。一実施形態では、受信機が、停止のアウターループ機能性を知らせ、どのＡＣＫ／ＮＡＣＫが停止の間に取得されたかを識別する。そのようなＡＣＫ／ＮＡＣＫは、停止中ＡＣＫ／ＮＡＣＫまたは停止ＡＣＫ／ＮＡＣＫと呼ばれ得る。
【００４８】
アウターループ機能性は、ａ）停止ＡＣＫと停止ＮＡＣＫとの両方、またはｂ）停止ＮＡＣＫのいずれかを破棄する。種々の実施形態では、停止ＡＣＫ／ＮＡＣＫは、続いて起こる伝送の適合において、アウターループ制御によって使用されない。種々の実施形態では、停止ＡＣＫ／ＮＡＣＫは、ＢＬＥＲの評価においても、ＢＬＥＲを調節するために伝送パラメータまたは伝送パラメータの選択に対して直接行なわれるいかなる調節においても、アウターループ制御によって使用されずない。種々の他の実施形態では、停止ＮＡＣＫは、ＢＬＥＲの評価においても、ＢＬＥＲを調節するために伝送パラメータまたは伝送パラメータの選択に対して行なわれるいかなる調節においても使用されない。
【００４９】
開示される方法の一側面は、停止の間におけるブロックエラー確率が、主として、チャネルコーディングレートまたは伝送電力等の調節可能な他の伝送パラメータによらないことである。代わりに、停止自体が、停止の間におけるブロックエラー確率における主な要因であり、停止は、外部イベントと見なされる。したがって、本開示は、受信機の停止の間に、受信機によって生成されたＮＡＣＫまたはＮＡＣＫとＡＣＫとの両方のいずれかを無視したアウターループを提供し、すなわち、アウターループは、この実施形態では、これらの伝送に適合しない。本開示は、したがって、ＢＬＥＲが正確であり、停止ＡＣＫ／ＮＡＣＫによって影響されないという利点を提供する。したがって、本開示はまた、ＢＬＥＲに基づいて調節された伝送パラメータが、停止ＡＣＫ／ＮＡＣＫによって影響されないことも提供する。それによって、停止中ではない伝送に基づくＢＬＥＲが、標的ＢＬＥＲをより容易に達成するために使用されることができる。いくつかの実施形態では、本開示の方法は、最初の伝送ＢＬＥＲに適用され、他の実施形態では、本開示の方法は、全体的ＢＬＥＲに適用され、さらなる他の実施形態では、本方法は、他の様式において定義されたＢＬＥＲに適用される。
【００５０】
以下の数値の実施例は、例証のみのために提供される。一実施形態によると、ある期間にわたる伝送機からの全ての伝送のうちの２０％は、受信機の停止の間に送信され、この停止期間の間に各伝送は、受信機が停止ＮＡＣＫを送信することをもたらす。これは、停止の間に送信された伝送もまた含まれる場合、その期間にわたって、少なくとも２０％のＢＬＥＲをもたらす。標的ＢＬＥＲが１０％である実施形態を検討する。この実施形態によると、伝送パラメータに対する変更および変更の範囲にかかわらず、標的ＢＬＥＲは、その期間にわたって満たされることができない。この実施形態によると、変調の順序およびチャネルコーディングレートの減少の程度および範囲にかかわらず、ならびに伝送電力増加または任意の他の伝送パラメータ調節の程度にかかわらず、標的ＢＬＥＲは、開示される方法が使用されない場合、達成不可能である。これは、停止中ではない伝送の間におけるデータ率が、ＢＬＥＲを減らすために最小値にさせられるので、非常に低い性能をもたらし得る。開示される方法およびシステムによると、停止中ではない伝送のＢＬＥＲは、標的１０％を満たし、それによって、良好な性能を達成することができる。これは、数値分析を例証するために、１つの実施形態として提示されるが、他の実施形態では、伝送停止の他のパーセンテージも該当し、他の標的ＢＬＥＲも使用され、本開示の側面は、そのような他の実施形態にも適用される。
【００５１】
本開示の種々の実施形態では、停止中ＡＣＫ／ＮＡＣＫは、アウターループ機能性において破棄され、伝送パラメータは、標的ＢＬＥＲが停止中ではない伝送に関して、満たされるように直接調節される。本開示の種々の実施形態では、停止中ＡＣＫ／ＮＡＣＫは、アウターループ機能性において破棄され、伝送パラメータの選択は、標的ＢＬＥＲが停止中ではない伝送に関して満たされるように調節される。要約して、代替として述べると、停止中ＡＣＫ／ＮＡＣＫは、アウターループ機能性において破棄され、標的ＢＬＥＲが満たされるように、続いて起こる伝送の適合に含まれない。この様式では、停止中ではない伝送の性能は、維持されることができる。
【００５２】
続いて起こる伝送は、いくつかの実施形態では、アウターループ機能性によって、伝送パラメータを調節すること、またはＢＬＥＲを明示的に算出することによる伝送パラメータの選択を調節することによって適合させられ、他の実施形態では、ＢＬＥＲは、明示的に算出されないが、ＡＣＫおよび／またはＮＡＣＫが、システムを適合させるために直接使用される。
【００５３】
図１は、本開示による、一実施形態がシステムの続いて起こる伝送を適合させることにおいて明示的に算出されるＢＬＥＲを含む方法の種々の側面を示すフローチャートである。
【００５４】
ステップ１０１において、伝送機は、受信機に伝送する。伝送は、ワイヤレスまたは有線伝送であり得、ある期間にわたって行われる。伝送がワイヤレス信号である実施形態によると、ＬＴＥにおけるＰＤＳＣＨ（物理ダウンリンク共有チャネル）またはＰＵＳＣＨ（物理アップリンク共有チャネル）信号等の情報のブロックを搬送する搬送変調信号等のワイヤレス信号の種々の種類、あるいは他の波形が、伝送機から受信機に伝送される。この様式では、情報のブロックは、ステップ１０１において、種々の伝送パラメータを用いて伝送機から受信機に伝送される。ステップ１０３において、受信機は、伝送機からの各伝送に応答して、肯定応答、すなわち、ＡＣＫ、または否定応答、すなわち、ＮＡＣＫのいずれかを送信することによって、ステップ１０１の伝送に応答する。情報のブロックが、正確に受信された場合、受信機は、ＡＣＫで伝送機に応答する。そうでなければ、受信機は、ステップ１０３において、ＮＡＣＫで応答する。ＡＣＫ／ＮＡＣＫは、伝送機および他のシステムコンポーネントに送信される。
【００５５】
ステップ１０５において、ＢＬＥＲ、すなわち、ブロックエラー率が、確立される。ＢＬＥＲ、すなわち、ブロックエラー率は、受信機、アウターループ制御システム、または他のシステムコンポーネントによって確立され得る。いくつかの実施形態では、ＢＬＥＲは、ＮＡＣＫの数：［ＮＡＣＫおよびＡＣＫ］の数の比率を表す。他の実施形態では、ＢＬＥＲは、ＮＡＣＫの数：ＡＣＫの数の比率を表す。いくつかの実施形態では、ＢＬＥＲは、受信機によって送信される合計応答（ＮＡＣＫおよびＡＣＫ）におけるＮＡＣＫのパーセンテージ等のパーセンテージとして表現される。いくつかの実施形態では、ＢＬＥＲは、最初の伝送ＢＬＥＲであり、他の実施形態では、ＢＬＥＲは、最初の伝送および再伝送を含む全体的ＢＬＥＲである。ＢＬＥＲは、いくつかの実施形態では、システムのアウターループ電力制御によって計算され、他の実施形態では、ＢＬＥＲは、受信機によって計算される。さらなる他の実施形態では、ＢＬＥＲは、他のシステムコンポーネントによって決定される。
【００５６】
ステップ１０７において、システムのアウターループ機能性は、続いて起こる伝送を適合させる。いくつかの実施形態では、アウターループ適合は、ＮＡＣＫおよびＡＣＫに基づいて、標的ＢＬＥＲを達成するために必要に応じて、伝送パラメータを調節することを伴う。いくつかの実施形態では、システムのアウターループ機能性は、ＢＬＥＲに基づいて、続いて起こる伝送を適合させ、いくつかの実施形態では、システムのアウターループ機能性は、ＢＬＥＲを考慮せずに（すなわち、ステップ１０５が、回避される）、１つ以上のＡＣＫ／ＮＡＣＫに基づいて、続いて起こる伝送を適合させる。
【００５７】
ステップ１０７において、アウターループ機能性は、システムに対する標的ＢＬＥＲを受信する。標的ＢＬＥＲは、種々の実施形態では、種々の値をとる。いくつかの実施形態では、標的ＢＬＥＲは、約５−５０％であり得る。いくつかの実施形態では、アウターループ機能性は、直接、伝送パラメータを調節し、いくつかの実施形態では、アウターループ機能性は、上記に議論されるように、限定ではないが、すでに述べられた伝送パラメータ等の伝送パラメータの選択を調節する。いくつかの実施形態では、アウターループ機能性は、ある期間の間に収集されるＡＣＫおよびＮＡＣＫに基づいて、ある期間にわたるＢＬＥＲを測定し、適宜、伝送パラメータ調節を行なう。他の実施形態では、アウターループ機能性は、ＢＬＥＲを明示的に測定せずに、またはその期間にわたるデータを収集せずに、各ＡＣＫの後に１つの様式において、および各ＮＡＣＫの後に別の様式においてパラメータを調節する。アウターループ制御は、変調形式、チャネルコーディングレート、マルチアンテナ伝送ランク、伝送電力、または種々の他の好適な伝送パラメータ等の伝送パラメータを調節する。いくつかの実施形態では、アウターループ機能性が、伝送電力を直接適合させる場合、アウターループ適合は、１つ以上の伝送パラメータの直接的調節、すなわち、アウターループ制御を含む。いくつかの実施形態では、アウターループ適合は、推定される通信チャネル品質と選択されるチャネルコーディングレートとの間のマッピングの調節等の伝送パラメータの選択の調節を含む。いくつかの実施形態では、インナーループ機能性が、推定される通信チャネル品質と選択されるチャネルコーディングレートとの間のマッピングを行う場合、アウターループリンク適合は、伝送パラメータに対する選択を調節すること、すなわち、この場合、マッピングを調節すること伴う。
【００５８】
種々の実施形態では、伝送パラメータの選択は、伝送機と受信機との間において推定されるチャネル品質と、種々の他の伝送パラメータと間のマッピングを含む。伝送パラメータは、チャネルコーディングレート、変調形式、マルチアンテナ伝送ランク、および伝送電力を含む。いくつかのＬＴＥ実施形態では、マッピングは、ＬＴＥにおける推定されるチャネル品質インジケータ（ＣＱＩ）からＬＴＥにおける変調コーディングスキーム（ＭＣＳ）へのマッピングである。
【００５９】
デジタル通信システムは、動作を継続し、伝送機は、受信機に伝送することを継続し、受信機は、ステップ１０１および１０３と併せて説明されるようなＡＣＫ／ＮＡＣＫで伝送機に応答することを継続し得る。ステップ１０９において、調節されたＢＬＥＲは、上で説明されるような全てのＡＣＫおよびＮＡＣＫに基づくアウターループ機能性によって決定され、いくつかの実施形態では、標的ＢＬＥＲが、達成され得る。
【００６０】
いくつかの実施形態では、ステップ１０５、１０７、および１０９は、回避され、ＢＬＥＲは、ステップ１１１にける受信機の停止イベントに先立って制御されない（図２参照）。
【００６１】
デジタル通信システムは、上記のように動作を継続し、ステップ１１１において、受信機の停止イベントが発生する。受信機の停止イベントは、上で説明されるように、種々の実施形態において、受信機ブロッキング、受信機の部分的な一時的電源異常、受信機における回路故障、または種々の受信機の停止等の種々の要因によって引き起こされる。いくつかの実施形態では、受信機は、その自己停止を検出し、情報をアウターループ制御システムに提供し、どのＡＣＫ／ＮＡＣＫが停止の間に取得されたかをアウターループ制御システムに知らせる。そのようなＡＣＫ／ＮＡＣＫは、停止中ＡＣＫ／ＮＡＣＫまたは停止ＡＣＫ／ＮＡＣＫと呼ばれ得る。ステップ１１３において、アウターループ制御は、受信機の停止の間におけるイベントを無視したＢＬＥＲを計算する。種々の実施形態では、ステップ１１３において、アウターループ電力制御は、停止ＡＣＫおよび停止ＮＡＣＫを無視したＢＬＥＲを計算し、いくつかの実施形態では、アウターループ電力制御は、停止ＮＡＣＫを無視したＢＬＥＲを計算する。
【００６２】
ステップ１１５において、アウターループ機能性は、続いて起こる伝送を適合させる、すなわち、ステップ１０７と併せて上で説明されるように、必要に応じて、伝送パラメータまたは伝送パラメータの選択を調節するが、ステップ１１５において、調節は、停止ＡＣＫおよびＮＡＣＫ（または停止ＮＡＣＫ）が無視された後に計算されるＢＬＥＲに基づく。ステップ１１５において、アウターループ機能性は、伝送パラメータ、または上で説明されるような伝送パラメータを直接調節するか、または伝送パラメータの選択を調節し、停止ＮＡＣＫを含まないか、または停止ＮＡＣＫおよび停止ＡＣＫを含まないかのいずれかである、ある期間にわたって受信されたＡＣＫおよびＮＡＣＫに基づいて、これを行うであろう。いくつかの実施形態では、アウターループ機能性は、単一のＡＣＫまたは単一のＮＡＣＫに基づいて、伝送パラメータまたは伝送パラメータの選択を調節する。ステップ１１７において、標的ＢＬＥＲは、達成される。標的ＢＬＥＲは、種々の実施形態では、種々の値をとり、停止ＮＡＣＫ、または停止ＡＣＫおよびＮＡＣＫを無視した後に取得されたＢＬＥＲに基づいて、伝送パラメータまたは伝送パラメータの選択を調節することによる本開示の方法によって達成可能である。
【００６３】
図２は、ＢＬＥＲを明示的に計算せずに、続いて起こる伝送の適合が実施される本開示の実施形態による、フローチャートである。
【００６４】
図２において、ＢＬＥＲは、明示的に計算されてはいないが、むしろ、１つ以上のＡＣＫおよび／またはＮＡＣＫが、システムを適合させるために、すなわち、続いて起こる伝送パラメータを適合させるために、直接使用される。ステップ２０１において、伝送機は、受信機に伝送する。一連の情報のブロックは、ステップ２０１において、伝送パラメータを使用して、伝送機から受信機に伝送される。ステップ２０３において、受信機は、伝送機からの各伝送に応答して、肯定応答、すなわち、ＡＣＫ、または否定応答、すなわち、ＮＡＣＫのいずれかを送信することによって、伝送機の伝送に応答する。受信機は、受信機の停止イベントを検出することが可能であり、ステップ２０３において、受信機はまた、ＡＣＫ／ＮＡＣＫが、停止中に受信された情報のブロックに応答して、伝送されたどうかを示す。
【００６５】
ステップ２０５において、情報のブロックが停止中に受信したかどうかが決定される。いいえの場合２１１、アウターループ制御またはインナーループ制御と併せたアウターループ制御は、ＡＣＫ２１５またはＮＡＣＫ２１７に基づいて、続いて起こる伝送を適合させる。ＡＣＫ２１５が使用される場合、例えば、減少された伝送電力、増加されたコーディングレート、増加された変調の順序等により、ＡＣＫに基づいて、ＢＬＥＲの確率が増加するように、伝送パラメータが直接調節されるか、または伝送パラメータの選択が調節される。調節は、ＡＣＫが正の肯定応答を表し、したがって、より低いＢＬＥＲに関連付けられるので、ＡＣＫに基づくＢＬＥＲを増加させる。ステップ２２３において、ＮＡＣＫ２１７に基づく場合、例えば、増加された伝送電力、減少されたコーディングレート、減少された変調の順序等によって、ＢＬＥＲの確率が減少するように、伝送パラメータが直接調節されるか、または伝送パラメータの選択が調節される。調節は、ＮＡＣＫが否定応答を表し、したがって、より高いＢＬＥＲに関連付けられるので、ＮＡＣＫに基づくＢＬＥＲを減少させる。ステップ２２１、２２３のいずれかにおいて、続いて起こる伝送の適合は、停止中に受信されなかったＡＣＫ／ＮＡＣＫに基づいて、アウターループ制御によって、またはインナーループ制御と併せたアウターループ制御によって、行われる。
【００６６】
いくつかの実施形態では、続いて起こる伝送の適合は、最初に、個々の非停止ＡＣＫに基づく伝送パラメータを調節することによって、次いで、個々の非停止ＮＡＣＫに基づいてパラメータを異なるようにさらに調節することによって、続いて起こる伝送を調節することを必要とする。
【００６７】
いくつかの実施形態では、続いて起こる伝送の適合は、一連の複数の個々のＮＡＣＫおよび個々のＡＣＫを使用することにより、対応する数の続いて起こる伝送を適合させることを必要とする。
【００６８】
ＡＣＫ／ＮＡＣＫが、停止中において受信された伝送に応答して、送信される場合（２０７において、「はい」の場合）、アウターループ制御は、この停止ＡＣＫまたは停止ＮＡＣＫに基づいて、続いて起こる伝送を適合させない。むしろ、２０７において、「はい」の場合、ステップ２０１において、伝送機による別の伝送が評価される。伝送機は、ステップ２０１において、伝送することを継続し、受信機は、ステップ２０３において応答し、伝送適合は、ステップ２０１において送信された情報のブロックが停止中の受信機によって受信されなかった場合にステップ２２１、２２３のみにおいて行われる。
【００６９】
図３および４は、限定ではないが、携帯電話ネットワーク等の種々のデジタル、ワイヤレス通信システムの実施形態を示す。図３および４は、種々の実施形態では、ＬＴＥ、ＵＭＴＳ、ＧＳＭ（登録商標）、およびＷｉＦｉ等のデジタル通信システムの種々の種類を表す。図３および４の各々は、図１および２のフローチャートによって例証される実施形態の各々に適用される。
【００７０】
ここで、図３を参照すると、種々の実施形態では、伝送機３０１が、ベースステーション、リレー、またはリピータであり、他の実施形態では、伝送機３０１は、信号を伝送することが可能である携帯電話または他のＵＥ（ユーザ機器）である。受信機３０３が、リレーまたはリピータ等の携帯電話、あるいは他のモバイルユニットまたは他のＵＥであり得る。伝送機３０１および受信機３０３は、デジタル通信システムの通信リンク３０９の部分を形成する。信号３０５が、伝送機３０１から受信機３０３に送信され、いくつかの実施形態では、信号３０５は、ワイヤレス信号または他の波形であり得、他の実施形態では、有線信号であり得る。信号３０５は、伝送機３０１から受信機３０３に送信される情報のブロックを表す。信号３０７は、受信機３０３から伝送機３０１に送信され、上で説明されるように、ＡＣＫ（肯定応答）およびＮＡＣＫ（否定応答）を含む。ＡＣＫ（肯定応答）およびＮＡＣＫ（否定応答）はまた、他の実施形態では、他のシステムコンポーネントにも送信され、かつそれによって受信される。一実施形態では、ＡＣＫおよびＮＡＣＫはまた、３１３において、アウターループ制御３１９に送信される。
【００７１】
受信機３０３はまた、ＡＣＫおよびＮＡＣＫが受信機の停止のイベントの間に受信機３０３から送信される場合、すなわち、それらが、受信機の停止イベントの間に信号３０５として送信された情報のブロックに応答して送信されたため、ＡＣＫおよびＮＡＣＫが停止ＡＣＫまたはＮＡＣＫである場合、受信機の停止イベントについての情報を含む受信機の停止情報３１５を、アウターループ制御３１９に送信する。受信機データ３１３、３１５は、アウターループ制御３１９に定期的に提供され、ある期間にわたる受信機データを含む。アウターループ制御３１９は、いくつかの実施形態では、ある期間にわたる受信機データ３１３、および３１５を評価し得、アウターループ制御３１９はまた、他の実施形態では、個々のＡＣＫまたはＮＡＣＫに関する受信機データ３１３および３１５を精査する。受信機の停止情報３１５は、いくつかの実施形態では、受信機３０３自体によって送信され、他の実施形態では、他のシステムコンポーネントによって送信される。
【００７２】
ＢＬＥＲは、通信リンク要求の１つであり得、アウターループ制御３１９は、通信リンク要求３２１から標的ＢＬＥＲ３２３を受信している。標的ＢＬＥＲは、種々の実施形態では、種々の値をとり、デジタル通信システムの種類および種々の側面に依存する。アウターループ制御３１９は、停止イベントの間に送信されたＮＡＣＫ、またはＡＣＫとＮＡＣＫとの両方のいずれかを無視し、停止中ではないＡＣＫ／ＮＡＣＫに基づいて、伝送パラメータを適合させる。ステップ３１１において、伝送パラメータは、続いて起こる伝送を適合させるために、および標的ＢＬＥＲを達成するために、アウターループ制御３１９によって直接調節される。
【００７３】
図４は、上で説明されるように、デジタル、ワイヤレス通信システムの種々の実施形態による、伝送機および受信機の別の実施形態を示すブロック図である。図４では、アウターループ制御は、インナーループ適合と併せて伝送パラメータの選択を調節さすことによって、続いて起こる伝送を適合させる。図４では、同一参照番号は、上で説明されるものと同一特徴を示す。
【００７４】
図４を参照すると、通信リンク４０９は、伝送機３０１、受信機３０３、およびインナーループ制御４３３を含むが、他の実施形態では、インナーループ制御４３３は、デジタル通信システムの他の内部または外部ノードに位置することを理解されたい。アウターループ制御４１９は、ステップ４３１において、伝送パラメータの選択を調節することによって、伝送パラメータの選択を適合させる。インナーループ制御４３３は、ステップ４３５において、伝送パラメータを直接調節することによって、続いて起こる伝送パラメータを適合させる。
【００７５】
本開示はまた、上で説明される方法を実施するためのコンポーネントを伴う、デジタル通信システムを提供する。コンポーネントは、伝送機、受信機、アウターループ制御、インナーループ電力制御、および他の好適なコンポーネントを含む。
【００７６】
本開示はまた、命令を伴う非一過性有形コンピュータ読み取り可能な記憶媒体を提供する。コンピュータまたは他のプロセッサは、非一過性有形コンピュータ読み取り可能な記憶媒体において、命令を実施すると、上で説明されるようなアウターループ機能性および制御が、実施される。
【００７７】
用語「ｅｘｅｍｐｌａｒｙ（例示的）」は、「実施例または例証としての役割を果たす」ことを意味するように本明細書で使用される。「ｅｘｅｍｐｌａｒｙ（例示的）」として本明細書に説明される任意の側面または設計は、必ずしも、他の側面または設計より好ましいまたは有利であると解釈されるものではない。
【００７８】
本開示の１つ以上の実施形態が上で説明されているが、それらは、実施例のみとして、かつ限定としてではなく提示されていることを理解されたい。同様に、種々の図または略図は、本開示のための例示的アーキテクチャまたは他の構成を描写し得、これは、本開示に含まれることができる特徴および機能性を理解する際に補助するために行われる。本開示は、例証される例示的アーキテクチャまたは構成に制限されないが、様々な代替アーキテクチャおよび構成を使用して、実装されることができる。
【００７９】
この文書に説明される１つ以上の機能は、適切に構成されるモジュールによって行われてもよい。本明細書に使用される用語「モジュール」は、本明細書に説明される関連付けられる機能を行うための１つ以上のプロセッサ、ファームウェア、ハードウェア、およびこれらの要素の任意の組み合わせによって実行されるソフトウェアを指す。加えて、議論の目的のために、種々のモジュールは、個別的なモジュールとして説明される。しかしながら、当業者に明白であろうように、２つ以上のモジュールが、本開示の種々の実施形態に従って、関連付けられる機能を行う単一のモジュールを形成するように結合され得る。
【００８０】
加えて、この文書に説明される１つ以上の機能は、概して、メモリストレージデバイスまたはストレージユニット等の媒体を指すために本明細書で使用される、「コンピュータプログラム製品」、「コンピュータ読み取り可能な媒体」、「非一過性有形コンピュータ読み取り可能な記憶媒体」、等内に記憶されるコンピュータプログラムコードを用いて行われ得る。コンピュータ読み取り可能な媒体のこれらおよび他の形態は、プロセッサに規定の動作を行なわせるために、プロセッサによる使用のための１つ以上の命令を記憶することに関わり得る。そのような命令は、概して、実行されると、コンピューティングシステムが所望の動作を行うことを可能にする、「コンピュータプログラムコード」（コンピュータプログラムまたは他のグループ化の形態でグループ化され得る）と称される。
【００８１】
明確性の目的のために、上記の説明は、異なる機能的ユニットおよびプロセッサを参照して、本開示の実施形態を説明していることが認識されるであろう。しかしながら、異なる機能的ユニット、プロセッサ、または領域の間での機能性の任意の好適な分配は、本開示から逸脱することなく、使用され得ることが明白であるであろう。例えば、別個のユニット、プロセッサ、またはコントローラによって行われるように例証される機能性は、同一のユニット、プロセッサ、またはコントローラによって行われ得る。故に、具体的な機能的ユニットの言及は、厳密な論理的または物理的な構造あるいは編成を示すのではなく、説明された機能性を提供するための好適な手段の言及のみと見なされる。
【００８２】
前述は、本開示の原理を単に例証する。したがって、当業者は、本明細書に明示的に説明されない、または示されないが、本開示の原理を具現化し、その精神および範囲の範囲内において含まれる、種々の配列を考案することが可能であるであろうことが認識されるであろう。さらに、本明細書に列挙された全ての実施例および条件付きの用語が、主に、教育的な目的のみのため、および発明者によって寄稿される本開示の原理および概念を理解し、当該技術を進展させる際に、読者を補助するためであることが明示的に意図され、そのような具体的に列挙された実施例および条件に限定されないように解釈される。さらに、本開示の原理、側面、および実施形態を列挙する本明細書における全ての主張ならびにそれらの具体的な実施例が、それらの構造上および機能的均等物の両方を包含するように意図される。加えて、そのような均等物は、現在既知の均等物と将来開発される均等物との両方、すなわち、構造にかかわらず同一機能を行うように開発される任意の要素を含むことが意図される。
【００８３】
例示的実施形態のこの説明は、全ての記載された説明の一部と見なされる、付随の図面の図に関連して読まれるように意図される。説明では、「ｌｏｗｅｒ（下側）」、「ｕｐｐｅｒ（上側）」、「ｈｏｒｉｚｏｎｔａｌ（水平な）」、「ｖｅｒｔｉｃａｌ（垂直な）」、「ａｂｏｖｅ（上方）」、「ｂｅｌｏｗ（下方）」、「ｕｐ（上昇）」、「ｄｏｗｎ（下降）」、「ｔｏｐ（上面）」、および「ｂｏｔｔｏｍ（底面）」ならびにそれらの派生語（例えば、「ｈｏｒｉｚｏｎｔａｌｌｙ（水平に）」、「ｄｏｗｎｗａｒｄｌｙ（下方に）」、「ｕｐｗａｒｄｌｙ（上方に）」等）等の相対的用語は、そこで議論中の図面中に説明される、または示されるような向きを指すように解釈されるべきである。これらの相対的用語は、説明の便宜上のためのものであり、装置が特定の向きにおいて構築される、または動作させることを要求しない。「ｃｏｎｎｅｃｔｅｄ（接続される）」、および「ｉｎｔｅｒｃｏｎｎｅｃｔｅｄ（相互接続される）」等の、取り付け、結合、等に関する用語は、別様に明示的に説明されない限り、構造が、介在構造を通して、直接または間接的のいずれかにおいて、相互に固定または取り付けられる関係、ならびに移動可能または堅い取り付けあるいは関係の両方を指す。
【００８４】
本開示は、例示的実施形態の観点から説明されているが、それに限定されない。むしろ、添付の請求項は、本開示の同等物の範囲と同等の範囲から逸脱せずに、当業者によって行われてもよい、本開示の他の異形および実施形態を含むように、広義に解釈されるべきである。
【図１】
2016500494.tif 000003
【図２】
2016500494.tif 000004
【図３】
2016500494.tif 000005
【図４】
2016500494.tif 000006
【手続補正書】
【提出日】平成27年7月21日(2015.7.21)
【手続補正１】
【補正対象書類名】特許請求の範囲
【補正対象項目名】全文
【補正方法】変更
【補正の内容】
【特許請求の範囲】
【請求項１】
デジタル通信システムを動作させる方法であって、前記方法は、
デジタル通信システムに少なくとも伝送機および受信機を提供することと、
前記伝送機から情報のブロックを前記受信機に伝送することと、
前記受信機が、前記伝送される情報のブロックの各々に応答して、ＡＣＫ（肯定応答）およびＮＡＣＫ（否定応答）のうちの１つを送信することによって、前記伝送することに応答することと、
受信機の停止を検出することと、
前記送信されたＮＡＣＫおよびＡＣＫのうちのどれが、前記受信機の停止の間に、受信された前記情報のブロックに応答して送信された停止ＮＡＣＫおよび停止ＡＣＫであるかを決定することと、
（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させることと
を含む、方法。
【請求項２】
前記適合させることは、前記デジタル通信システムの１つ以上の伝送パラメータを調節することを含む、請求項１に記載の方法。
【請求項３】
前記伝送パラメータは、変調形式、チャネルコーディングレート、マルチアンテナ伝送ランク、および伝送電力を含む、請求項２に記載の方法。
【請求項４】
前記適合させることは、前記デジタル通信システムの１つ以上の伝送パラメータの選択を調節することを含む、請求項１に記載の方法。
【請求項５】
前記選択は、前記伝送機と受信機との間において推定されるチャネル品質と、一組の伝送パラメータとの間のマッピングを含む、請求項４に記載の方法。
【請求項６】
前記一組の伝送パラメータは、チャネルコーディングレート、変調形式、マルチアンテナ伝送ランク、および伝送電力を含む、請求項５に記載の方法。
【請求項７】
前記適合させることは、ＢＬＥＲ（ブロックエラー率）を制御することを含む、請求項１に記載の方法。
【請求項８】
前記ＢＬＥＲを制御することは、前記ＢＬＥＲを調節するために伝送パラメータを調節し、標的ＢＬＥＲを獲得することを含み、前記ＢＬＥＲは、［ＮＡＣＫ］の数：［ＮＡＣＫ＋ＡＣＫ］の数の比率である、請求項７に記載の方法。
【請求項９】
前記ＢＬＥＲを制御することは、（ａ）前記停止ＮＡＣＫと、（ｂ）前記停止ＮＡＣＫおよび停止ＡＣＫとのうちの１つを破棄するアウターループ制御システムを含む、請求項８に記載の方法。
【請求項１０】
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、請求項１に記載の方法。
【請求項１１】
前記続いて起こる伝送を調節することは、前記ＮＡＣＫおよびＡＣＫのうちの個々のもののうちの個々のＡＣＫに基づいて、伝送パラメータを調節することと、前記ＮＡＣＫおよびＡＣＫのうちの個々のもののうちの個々のＮＡＣＫに基づいて、前記伝送パラメータをさらに調節することとを含む、請求項１０に記載の方法。
【請求項１２】
前記適合させることは、一連の複数の個々のＮＡＣＫおよび個々のＡＣＫを使用して、対応する複数の続いて起こる伝送を適合させることを含む、請求項１０に記載の方法。
【請求項１３】
前記受信機が、前記ＮＡＣＫおよびＡＣＫのうちのどれが前記停止ＮＡＣＫおよびＡＣＫを含むかをアウターループ制御システムに知らせることをさらに含み、前記適合させることは、前記アウターループ制御システムによって行われる、請求項１に記載の方法。
【請求項１４】
コンピュータプログラムコードを用いてエンコードされた非一過性有形コンピュータ読み取り可能な記憶媒体であって、前記コンピュータプログラムコードがプロセッサによって実行されると、前記プロセッサは、少なくとも１つの伝送機および受信機を有するデジタル通信システムを制御する方法を実施し、前記伝送機は、情報のブロックを前記受信機に伝送し、前記受信機は、伝送された前記情報のブロックの各々に応答して、ＡＣＫ（肯定応答）およびＮＡＣＫ（否定応答）のうちの１つを送信することによって前記伝送することに応答し、前記方法は、
受信機の停止を検出することと、
前記送信されたＮＡＣＫおよびＡＣＫのうちのどれが、前記受信機の停止の間に、受信された前記情報のブロックに応答して送信された停止ＮＡＣＫおよび停止ＡＣＫであるかを決定することと、
（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させることと
を含む、非一過性有形コンピュータ読み取り可能な記憶媒体。
【請求項１５】
前記適合させることは、前記デジタル通信システムの伝送パラメータを調節することを含み、前記伝送パラメータは、変調形式、チャネルコーディングレート、マルチアンテナ伝送ランク、および伝送電力を含む、請求項１４に記載の非一過性有形コンピュータ読み取り可能な記憶媒体。
【請求項１６】
前記適合させることは、前記デジタル通信システムの伝送パラメータの選択を調節することを含む、請求項１４に記載の非一過性有形コンピュータ読み取り可能な記憶媒体。
【請求項１７】
前記選択は、前記伝送機と受信機との間において推定されるチャネル品質と、チャネルコーディングレート、変調形式、マルチアンテナ伝送ランク、および伝送電力を含む一組の伝送パラメータとの間のマッピングを含む、請求項１６に記載の非一過性有形コンピュータ読み取り可能な記憶媒体。
【請求項１８】
前記適合させることは、ＢＬＥＲ（ブロックエラー率）を制御することを含む、請求項１４に記載の非一過性有形コンピュータ読み取り可能な記憶媒体。
【請求項１９】
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、請求項１４に記載の非一過性有形コンピュータ読み取り可能な記憶媒体。
【請求項２０】
伝送機、受信機、および制御システムを備えているデジタル通信システムであって、
前記伝送機は、情報のブロックを前記受信機に伝送するように構成され、
前記受信機は、前記伝送される情報のブロックの各々に応答して、ＡＣＫ（肯定応答）およびＮＡＣＫ（否定応答）のうちの１つを送信することによって前記伝送することに応答するように構成され、
前記受信機は、受信機の停止を検出し、前記ＮＡＣＫおよびＡＣＫのうちのどれが、前記受信機の停止の間に、受信された前記情報のブロックに応答して送信された停止ＮＡＣＫおよび停止ＡＣＫであるかを決定し、前記受信機の停止を前記制御システムのアウターループ制御システムに報告するように構成され、
前記アウターループ制御システムは、（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させるように構成されている、
デジタル通信システム。
【請求項２１】
前記受信機は、前記停止ＮＡＣＫおよび停止ＡＣＫを前記アウターループ制御システムに報告するようにさらに構成されている、請求項２０に記載のデジタル通信システム。
【請求項２２】
前記アウターループ制御システムは、前記デジタル通信システムの１つ以上の伝送パラメータを調節することによって、続いて起こる伝送を適合させるように構成されている、請求項２０に記載のデジタル通信システム。
【請求項２３】
前記アウターループ制御システムは、前記デジタル通信システムの１つ以上の伝送パラメータの選択を調節することによって、続いて起こる伝送を適合させるように構成され、前記伝送パラメータは、変調形式、チャネルコーディングレート、マルチアンテナ伝送ランク、および伝送電力を含む、請求項２０に記載のデジタル通信システム。
【請求項２４】
前記アウターループ制御システムは、ＢＬＥＲ（ブロックエラー率）を制御することによって、続いて起こる伝送を適合させるように構成されている、請求項２０に記載のデジタル通信システム。
【請求項２５】
前記アウターループ制御システムは、（ａ）前記停止ＮＡＣＫと、（ｂ）前記停止ＮＡＣＫおよび停止ＡＣＫとのうちの１つを破棄するように構成されている、請求項２０に記載のデジタル通信システム。
【請求項２６】
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、請求項２０に記載のデジタル通信システム。
【手続補正２】
【補正対象書類名】明細書
【補正対象項目名】００３８
【補正方法】変更
【補正の内容】
【００３８】
いくつかの実施形態では、適合させることは、ＮＡＣＫおよびＡＣＫのうちの個々のものに基づくが停止ＮＡＣＫまたは停止ＡＣＫに基づかずに、続いて起こる伝送を調節することを含む。
本発明は、例えば、以下を提供する。
（項目１）
デジタル通信システムを動作させる方法であって、前記方法は、
デジタル通信システムに少なくとも伝送機および受信機を提供することと、
前記伝送機から情報のブロックを前記受信機に伝送することと、
前記受信機が、前記伝送される情報のブロックの各々に応答して、ＡＣＫ（肯定応答）およびＮＡＣＫ（否定応答）のうちの１つを送信することによって、前記伝送することに応答することと、
受信機の停止を検出することと、
前記ＮＡＣＫおよびＡＣＫのうちの前記受信機の停止の間に送信された停止ＮＡＣＫおよび停止ＡＣＫを決定することと、
（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させることと
を含む、方法。
（項目２）
前記適合させることは、前記デジタル通信システムの１つ以上の伝送パラメータを調節することを含む、項目１に記載の方法。
（項目３）
前記伝送パラメータは、変調形式、チャネルコーディングレート、マルチアンテナ伝送ランク、および伝送電力を含む、項目２に記載の方法。
（項目４）
前記適合させることは、前記デジタル通信システムの１つ以上の伝送パラメータの選択を調節することを含む、項目１に記載の方法。
（項目５）
前記選択は、前記伝送機と受信機との間において推定されるチャネル品質と、一組の伝送パラメータとの間のマッピングを含む、項目４に記載の方法。
（項目６）
前記一組の伝送パラメータは、チャネルコーディングレート、変調形式、マルチアンテナ伝送ランク、および伝送電力を含む、項目５に記載の方法。
（項目７）
前記適合させることは、ＢＬＥＲ（ブロックエラー率）を制御することを含む、項目１に記載の方法。
（項目８）
前記ＢＬＥＲを制御することは、前記ＢＬＥＲを調節するために伝送パラメータを調節し、標的ＢＬＥＲを獲得することを含み、前記ＢＬＥＲは、［ＮＡＣＫ］の数：［ＮＡＣＫ＋ＡＣＫ］の数の比率である、項目７に記載の方法。
（項目９）
前記ＢＬＥＲを制御することは、（ａ）前記停止ＮＡＣＫと、（ｂ）前記停止ＮＡＣＫおよび停止ＡＣＫとのうちの１つを破棄するアウターループ制御システムを含む、項目８に記載の方法。
（項目１０）
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、項目１に記載の方法。
（項目１１）
前記続いて起こる伝送を調節することは、前記ＮＡＣＫおよびＡＣＫのうちの個々のもののうちの個々のＡＣＫに基づいて、伝送パラメータを調節することと、前記ＮＡＣＫおよびＡＣＫのうちの個々のもののうちの個々のＮＡＣＫに基づいて、前記伝送パラメータをさらに調節することとを含む、項目１０に記載の方法。
（項目１２）
前記適合させることは、一連の複数の個々のＮＡＣＫおよび個々のＡＣＫを使用して、対応する複数の続いて起こる伝送を適合させることを含む、項目１０に記載の方法。
（項目１３）
前記受信機が、前記ＮＡＣＫおよびＡＣＫのうちのどれが前記停止ＮＡＣＫおよびＡＣＫを含むかをアウターループ制御システムに知らせることをさらに含み、前記適合させることは、前記アウターループ制御システムによって行われる、項目１に記載の方法。
（項目１４）
コンピュータプログラムコードを用いてエンコードされた非一過性有形コンピュータ読み取り可能な記憶媒体であって、前記コンピュータプログラムコードがプロセッサによって実行されると、前記プロセッサは、少なくとも１つの伝送機および受信機を有するデジタル通信システムを制御する方法を実施し、前記伝送機は、情報のブロックを前記受信機に伝送し、前記受信機は、伝送された前記情報のブロックの各々に応答して、ＡＣＫ（肯定応答）およびＮＡＣＫ（否定応答）のうちの１つを送信することによって前記伝送することに応答し、前記方法は、
受信機の停止を検出することと、
前記ＮＡＣＫおよびＡＣＫのうちの前記受信機の停止の間に送信された停止ＮＡＣＫおよび停止ＡＣＫを決定することと、
（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させることと
を含む、非一過性有形コンピュータ読み取り可能な記憶媒体。
（項目１５）
前記適合させることは、前記デジタル通信システムの伝送パラメータを調節することを含み、前記伝送パラメータは、変調形式、チャネルコーディングレート、マルチアンテナ伝送ランク、および伝送電力を含む、項目１４に記載の非一過性有形コンピュータ読み取り可能な記憶媒体。
（項目１６）
前記適合させることは、前記デジタル通信システムの伝送パラメータの選択を調節することを含む、項目１４に記載の非一過性有形コンピュータ読み取り可能な記憶媒体。
（項目１７）
前記選択は、前記伝送機と受信機との間において推定されるチャネル品質と、チャネルコーディングレート、変調形式、マルチアンテナ伝送ランク、および伝送電力を含む一組の伝送パラメータとの間のマッピングを含む、項目１６に記載の非一過性有形コンピュータ読み取り可能な記憶媒体。
（項目１８）
前記適合させることは、ＢＬＥＲ（ブロックエラー率）を制御することを含む、項目１４に記載の非一過性有形コンピュータ読み取り可能な記憶媒体。
（項目１９）
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、項目１４に記載の非一過性有形コンピュータ読み取り可能な記憶媒体。
（項目２０）
伝送機、受信機、および制御システムを備えているデジタル通信システムであって、
前記伝送機は、情報のブロックを前記受信機に伝送するように構成され、
前記受信機は、前記伝送される情報のブロックの各々に応答して、ＡＣＫ（肯定応答）およびＮＡＣＫ（否定応答）のうちの１つを送信することによって前記伝送することに応答するように構成され、
前記受信機は、受信機の停止を検出し、前記ＮＡＣＫおよびＡＣＫのうちの前記受信機の停止の間に送信された停止ＮＡＣＫおよび停止ＡＣＫを決定し、前記受信機の停止を前記制御システムのアウターループ制御システムに報告するように構成され、
前記アウターループ制御システムは、（ａ）前記停止ＮＡＣＫと、（ｂ）前記停止ＮＡＣＫおよび停止ＡＣＫとのうちの１つを含まない前記ＡＣＫおよびＮＡＣＫに基づいて、続いて起こる伝送を適合させるように構成されている、
デジタル通信システム。
（項目２１）
前記受信機は、前記停止ＮＡＣＫおよび停止ＡＣＫを前記アウターループ制御システムに報告するようにさらに構成されている、項目２０に記載のデジタル通信システム。
（項目２２）
前記アウターループ制御システムは、前記デジタル通信システムの１つ以上の伝送パラメータを調節することによって、続いて起こる伝送を適合させるように構成されている、項目２０に記載のデジタル通信システム。
（項目２３）
前記アウターループ制御システムは、前記デジタル通信システムの１つ以上の伝送パラメータの選択を調節することによって、続いて起こる伝送を適合させるように構成され、前記伝送パラメータは、変調形式、チャネルコーディングレート、マルチアンテナ伝送ランク、および伝送電力を含む、項目２０に記載のデジタル通信システム。
（項目２４）
前記アウターループ制御システムは、ＢＬＥＲ（ブロックエラー率）を制御することによって、続いて起こる伝送を適合させるように構成されている、項目２０に記載のデジタル通信システム。
（項目２５）
前記アウターループ制御システムは、（ａ）前記停止ＮＡＣＫと、（ｂ）前記停止ＮＡＣＫおよび停止ＡＣＫとのうちの１つを破棄するように構成されている、項目２０に記載のデジタル通信システム。
（項目２６）
前記適合させることは、前記ＮＡＣＫおよびＡＣＫのうちの個々のものに基づくが、前記停止ＮＡＣＫまたは停止ＡＣＫに基づかずに、続いて起こる伝送を調節することを含む、項目２０に記載のデジタル通信システム。
【国際調査報告】
2016500494.tif 000007